(57)【要約】【課題】双方の端末が利用可能なメディア形式が異なる場合でも、メディアネゴシエーションを実施できるようにする。【解決手段】本発明の接続制御装置は、複数の端末間の相互接続を行う接続制御装置において、各端末との間で接続制御信号の授受を行う通信手段と、メディア形式変換装置によるメディア形式が変換されたメディア情報の提供を受ける各端末の利用可能なメディア形式情報を記憶するメディア形式情報記憶手段と、端末から受信した接続制御信号に基づいてメディア形式情報記憶手段を参照して、相互接続に係る複数の端末の利用可能なメディア形式情報の共通性を判断し、共通するメディア形式情報が存在しないときに所定のメディア形式情報を接続制御信号に補完して、通信手段に受け渡すメディア形式情報補完手段とを備えることを特徴とする。【選択図】      図１
2010124063.tif 000002
【特許請求の範囲】
【請求項１】
複数の端末間の相互接続を行う接続制御装置において、
上記各端末との間で接続制御信号の授受を行う通信手段と、
メディア形式変換装置によるメディア形式が変換されたメディア情報の提供を受ける上記各端末の利用可能なメディア形式情報を記憶するメディア形式情報記憶手段と、
上記端末から受信した接続制御信号に基づいて上記メディア形式情報記憶手段を参照して、相互接続に係る上記複数の端末の利用可能な上記メディア形式情報の共通性を判断し、共通する上記メディア形式情報が存在しないときに所定の上記メディア形式情報を上記接続制御信号に補完して、上記通信手段に受け渡すメディア形式情報補完手段と
を備えることを特徴とする接続制御装置。
【請求項２】
上記メディア形式情報記憶手段が、メディア形式を示す情報と、当該メディア形式によるメディア通信の関連情報とを有する情報を記憶しており、
上記メディア形式情報補完手段が、上記メディア形式を示す情報だけでなく、当該メディア形式によるメディア通信の関連情報も、上記接続制御信号に補完するものである
ことを特徴とする請求項１に記載の接続制御装置。
【請求項３】
上記メディア形式情報補完手段が、
接続要求端末から受信した接続要求信号に含まれる当該接続要求端末のメディア形式要求情報と、上記メディア形式情報記憶手段に記憶される宛先端末の上記メディア形式情報とを比較するメディア形式情報比較部と、
上記メディア形式情報比較部により、上記宛先端末の上記メディア形式情報のうち、上記メディア形式要求情報に存在しないものがあると判断されたときに、その存在していない上記宛先端末の上記メディア形式情報を、上記メディア形式要求情報に補完するメディア形式情報変換部と
を有することを特徴とする請求項１又は２に記載の接続制御装置。
【請求項４】
上記メディア形式情報比較部が、上記宛先端末から応答制御信号に含まれる当該宛先端末のメディア形式応答情報と、上記接続要求先端末の上記メディア形式要求情報とを比較するものであり、
上記メディア形式情報変換部が、上記メディア形式情報比較部により、上記メディア形式応答情報と上記メディア形式要求情報とが一致しないと判断されたとき、上記メディア形式要求情報のうち優先度の高いメディア形式情報を、上記メディア形式応答情報に保管するものである
ことを特徴とする請求項３に記載の接続制御装置。
【請求項５】
複数の端末間の相互接続を行う接続制御装置の接続制御方法において、
メディア形式変換装置によるメディア形式が変換されたメディア情報の提供を受ける上記各端末の利用可能なメディア形式情報を記憶するメディア形式情報記憶手段を有し、
通信手段が、上記各端末との間で接続制御信号の授受を行う通信工程と、
メディア形式情報補完手段が、上記端末から受信した接続制御信号に基づいて上記メディア形式情報記憶手段を参照して、相互接続に係る上記複数の端末の利用可能な上記メディア形式情報の共通性を判断し、共通する上記メディア形式情報が存在しないときに所定の上記メディア形式情報を上記接続制御信号に補完して、上記通信手段に受け渡すメディア形式情報補完工程と
を有することを特徴とする接続制御方法。
【請求項６】
メディア形式変換装置によるメディア形式が変換されたメディア情報の提供を受ける各端末の利用可能なメディア形式情報を記憶するメディア形式情報記憶手段を有するコンピュータを、
上記各端末との間で接続制御信号の授受を行う通信手段、
上記端末から受信した接続制御信号に基づいて上記メディア形式情報記憶手段を参照して、相互接続に係る上記複数の端末の利用可能な上記メディア形式情報の共通性を判断し、共通する上記メディア形式情報が存在しないときに所定の上記メディア形式情報を上記接続制御信号に補完して、上記通信手段に受け渡すメディア形式情報補完手段
として機能させることを特徴とする接続制御プログラム。
【発明の詳細な説明】
【技術分野】
【０００１】
本発明は、接続制御装置、方法及びプログラムに関し、例えば、ＩＰ（Internet  Protocol）を用いたネットワークの境界に位置するＳＩＰ（Session  Initiation  Protocol）信号変換装置がＳＤＰ（Session  Description  Protocol）を変換する仕組みに適用し得るものである。
【背景技術】
【０００２】
近年、ＩＰ技術を用いて、音声、画像（静止画、動画像を含む）、データ等の通信サービスや、これらを連携させた様々な通信サービスの提供が図られており、このような通信を行う端末間の相互接続性を実現するために、ＳＩＰが活用されている。
【０００３】
特許文献１及び特許文献２には、ＳＩＰ信号変換装置に関する技術が記載されており、ＮＡＴ（Network  Address  Translation）装置との連携によるＳＤＰ内のＩＰアドレス及びポート番号を変換する技術が開示されている。
【０００４】
【特許文献１】特開２００５−１９８１８１号公報
【特許文献２】特開２００６−００５７５４号公報
【発明の開示】
【発明が解決しようとする課題】
【０００５】
しかしながら、上記の方法では、ＩＰをベースとした音声・映像等の通信において、双方の端末が利用可能なメディアタイプが異なる場合に、端末間の相互接続を観点としたメディア変換を行うためのメディアネゴシエーションができないという問題があった。
【０００６】
そのため、それぞれの端末のメディアタイプが異なる場合でも、メディアネゴシエーションを可能とする接続制御装置、方法及びプログラムが求められている。
【課題を解決するための手段】
【０００７】
かかる課題を解決するために、第１の本発明の接続制御装置は、複数の端末間の相互接続を行う接続制御装置において、（１）各端末との間で接続制御信号の授受を行う通信手段と、（２）メディア形式変換装置によるメディア形式が変換されたメディア情報の提供を受ける各端末の利用可能なメディア形式情報を記憶するメディア形式情報記憶手段と、（３）端末から受信した接続制御信号に基づいてメディア形式情報記憶手段を参照して、相互接続に係る複数の端末の利用可能なメディア形式情報の共通性を判断し、共通するメディア形式情報が存在しないときに所定のメディア形式情報を接続制御信号に補完して、通信手段に受け渡すメディア形式情報補完手段とを備えることを特徴とする。
【０００８】
第２の本発明の接続制御方法は、複数の端末間の相互接続を行う接続制御装置の接続制御方法において、（１）メディア形式変換装置によるメディア形式が変換されたメディア情報の提供を受ける各端末の利用可能なメディア形式情報を記憶するメディア形式情報記憶手段を有し、（２）通信手段が、各端末との間で接続制御信号の授受を行う通信工程と、（３）メディア形式情報補完手段が、端末から受信した接続制御信号に基づいてメディア形式情報記憶手段を参照して、相互接続に係る複数の端末の利用可能なメディア形式情報の共通性を判断し、共通するメディア形式情報が存在しないときに所定のメディア形式情報を接続制御信号に補完して、通信手段に受け渡すメディア形式情報補完工程とを有することを特徴とする。
【０００９】
第３の本発明の接続制御プログラムは、メディア形式変換装置によるメディア形式が変換されたメディア情報の提供を受ける各端末の利用可能なメディア形式情報を記憶するメディア形式情報記憶手段を有するコンピュータを、（１）各端末との間で接続制御信号の授受を行う通信手段、（２）端末から受信した接続制御信号に基づいてメディア形式情報記憶手段を参照して、相互接続に係る複数の端末の利用可能なメディア形式情報の共通性を判断し、共通するメディア形式情報が存在しないときに所定のメディア形式情報を接続制御信号に補完して、通信手段に受け渡すメディア形式情報補完手段として機能させることを特徴とする。
【発明の効果】
【００１０】
本発明によれば、双方の端末が利用可能なメディア形式が異なる場合でも、メディア形式変換装置がサポートする形式であれば、端末間の相互接続を実施するためのメディアネゴシエーションが可能となる。
【発明を実施するための最良の形態】
【００１１】
（Ａ）第１の実施形態
以下では、本発明の接続制御装置、方法及びプログラムの第１の実施形態を、図面を参照しながら説明する。
【００１２】
（Ａ−１）第１の実施形態の構成
（Ａ−１−１）全体構成
図１は、第１の実施形態に係るネットワークの全体構成を示す全体構成図である。
【００１３】
図１において、第１の実施形態に係るネットワーク１０は、ＩＰ電話端末１Ａ、ＩＰ電話端末１Ｂ、パーソナルコンピュータ（ＰＣ）２Ａ、パーソナルコンピュータ（ＰＣ）２Ｂ、ＳＩＰ信号変換装置４を少なくとも有して構成される。
【００１４】
ＳＩＰ信号変換装置４は、ネットワークを介して接続する端末間の相互接続を制御する装置であり、それぞれの端末が利用可能なメディアのメディア形式が異なる場合でも、端末間のメディアネゴシエーションを実現するものである。
【００１５】
図１において、ＳＩＰ信号変換装置４は、ＩＰネットワーク３ＡとＩＰネットワーク３Ｂとの境界に位置するものであり、例えば、Ａ形式メディアを提案する制御信号パケット５Ａと、Ｂ形式メディアを提案する制御パケット５Ｂを双方向にＳＩＰ信号変換するＳＩＰ信号変換制御機能を備える。
【００１６】
また、ＳＩＰ信号変換装置４は、それぞれメディア形式の異なる複数のメディアを相互変換するメディア変換機能を有するものである。これにより、各端末の利用可能なメディア形式が異なる場合でも、両端末間のメディア通信を行うことができる。
【００１７】
図１では、ＳＩＰ信号変換装置４が、ＩＰネットワーク３Ａを介してＩＰ電話端末１Ａ及びＰＣ２Ａと接続し、ＩＰネットワーク３Ｂを介してＩＰ電話端末１Ｂ及びＰＣ２Ｂと接続する場合を例示する。しかし、ＳＩＰ信号変換装置４が接続するネットワークの数は３個以上であってもよい。
【００１８】
ここで、ＩＰネットワーク３Ａ及び３Ｂは、例えばＩＰ電話やインターネット接続等のサービスを提供する通信事業者のネットワークである。第１の実施形態のＩＰネットワーク３Ａ及び３Ｂは、通信プロトコルとしてＴＣＰ／ＩＰを採用したＩＰネットワークを適用する場合を例示するが、通信プロトコルはＩＰに限定されるものではない。また、ＩＰネットワーク３Ａ及び３Ｂは、有線回線と無線回線のいずれ又はこれらを結合したものを適用することができる。
【００１９】
ＩＰ電話端末１Ａ及びＩＰ電話端末１Ｂは、ＩＰ電話機能を有する端末である。ＩＰ電話端末１Ａ及びＩＰ電話端末１Ｂは、例えば、ＩＰ電話機、ＩＰ電話を実現するソフトウェアを実行するパーソナルコンピュータ（いわゆるソフトフォン）、ＩＰ電話機能を有する携帯端末（例えば、携帯電話機、ＰＤＡ、ゲーム端末等）を適用することができる。
【００２０】
ＩＰ電話端末１Ａ及びＩＰ電話端末１Ｂは、音声等のメディアを通信を行う際、両端末間のチャネルを接続するために、制御信号パケット５Ａ及び制御信号パケット５ＢをＳＩＰ信号変換装置４に送信する。
【００２１】
また、データ信号（Ａ形式メディア）パケット６は、ＩＰ電話端末１Ａの利用可能なメディア形式のデータ信号パケットを示す。データ信号（Ａ形式メディア）パケット６は、例えばＲＦＣ３５５１等の標準により、符号化形式毎に規定されるパケット形式に準拠したデータ信号である。第１の実施形態では、データ信号（Ａ形式メディア）パケット６が例えば符号化形式をＡ形式とする場合を例示する。
【００２２】
データ信号（Ｂ形式メディア）パケット７は、ＩＰ電話端末１Ｂの利用可能なメディア形式のデータ信号パケットを示す。データ信号（Ｂ形式メディア）パケット７は、データ信号（Ａ形式メディア）パケット６と同様のデータ信号であり、第１の実施形態では例えば符号化形式をＢ形式とする場合を例示する。
【００２３】
ＰＣ２Ａ及びＰＣ２Ｂは、ネットワーク（例えばインターネット）を使用してＷｅｂブラウジングやデータ転送を行う通信機能を有する情報処理端末である。図１では、第１の実施形態の説明を簡単にするために、ＰＣ２Ａ及びＰＣ２ＢとＩＰ電話端末１Ａ及びＩＰ電話端末１Ｂとを異なる構成として示すが、ＰＣ２Ａ及び２Ｃ２ＢがＩＰ電話機能を有するようにしてもよい。
【００２４】
データ信号（メディア以外）パケット８は、例えばファイル転送等の、音声や映像等のメディア形式以外のデータ信号である。
【００２５】
（Ａ−１−２）ＳＩＰ信号変換装置の詳細な機能構成
図２は、ＳＩＰ信号変換装置４の機能を説明するブロック図である。図２において、ＳＩＰ信号変換装置４は、主に、パケットスイッチ部１１、制御部１２、パケット入出力部１３Ａ、パケット入出力部１３Ｂ、メディア変換部１４を少なくとも有するものである。
【００２６】
パケットスイッチ部１１は、入力されたパケットを各機能部間で転送するものである。
【００２７】
パケット入出力部１３Ａ及びパケット入出力部１３Ｂは、パケットの送受信機能を有するものである。パケット入出力部１３Ａ及び１３Ｂは、受信したパケットを識別し、パケットを送信すべきパケット入出力部、制御部１２、メディア変換部１４を判定し、パケットスイッチ部１１を介してパケットをパケット入出力部、制御部１２、メディア変換部１４に与えるものである。
【００２８】
図２に示すように、制御信号パケット５Ａ及び５Ｂを受信すると、パケット入出力１３Ａ及びパケット入出力部１３Ｂはパケットスイッチ部１１を介して制御部１２に与える。また、データ信号（Ａ形式メディア）パケット６、データ信号（Ｂ形式メディア）パケット７を受信すると、パケット入出力１３Ａ及びパケット入出力部１３Ｂはパケットスイッチ部１１を介してメディア変換部１４に与える。さらに、データ信号（メディア以外）パケットを受信すると、パケット入出力１３Ａ及びパケット入出力部１３Ｂはパケットスイッチ部１１を介して転送先のパケット入出力部に与える。
【００２９】
メディア変換部１４は、データ信号パケットのメディア形式を変換するものである。
【００３０】
制御部１２は、ＳＩＰ信号変換装置４の機能を司るものであり、制御信号であるＳＩＰパケットに基づいて、両端末間の相互接続を制御するものである。
【００３１】
制御部１２は、パケットスイッチ部１１を介して受け取った制御信号パケット５Ａ及び５Ｂを分析し、通信を行う端末双方のメディア形式を判定するものである。また、制御部１２は、両端末の利用可能なメディアのメディア形式が異なる場合、制御信号内のメディア形式情報を保持するＳＤＰ情報を変換するＳＩＰ信号変換制御を行うものである。これにより、両端末間のネゴシエーションを実現できる。
【００３２】
また、制御部１２によるＳＤＰ情報の変換は、メディア変換部１４によりサポート可能なメディア形式に対応して行なわれる。
【００３３】
制御部１２は、その機能として、符号化形式比較部１２ａと、符号化形式情報変換部１２ｂとを少なくとも有し、また符号化形式情報１００及びメディア変換部サポート符号化形式リスト１０００を保持するものである。
【００３４】
図３は、制御部１２によるＳＩＰ信号変換制御に用いる符号化形式情報１００を説明する説明図である。
【００３５】
図３において、符号化形式情報１００は、ＩＰネットワーク１０１、サポート符号化形式１０２、符号化形式毎変換補足情報１０３を項目として構成される。
【００３６】
なお、符号化形式情報１００は、後述するメディア変換部サポート符号化形式リスト１０００に存在するものであることが好ましい。すなわち、メディア変換部１４による変換対象の符号化形式であることが望ましい。
【００３７】
ＩＰネットワーク１０１は、図１のＩＰネットワーク（３Ａ，３Ｂ）単位に、例えば１つの通信事業者やネットワークドメインを識別する識別子であり、同じ識別子を持つ情報は、同じネットワークに属するものとみなされる。
【００３８】
サポート符号化形式１０２は、該当ネットワーク配下の端末がサポートするメディアパケットで利用される符号化形式を示す。
【００３９】
符号化形式毎変換補足情報１０３は、メディアネゴシエーションにおける符号化形式毎のＳＤＰ変換用の補足情報である。符号化形式毎の変換補足情報を有することにより、ＳＤＰによるメディア形式情報を変換する際に、端末間の最適なメディア情報に変換することができる。
【００４０】
符号化形式情報１００は、ネットワーク保守者により、ＩＰネットワークの構築状況に応じて、事前に設定される。
【００４１】
図４は、メディア変換部１４がサポート可能なメディア変換部符号化形式リスト１０００を説明する説明図である。図４において、メディア変換部１４がサポート可能な符号化形式は、例えば、ＰＣＭＵ、Ｇ．７２２、Ｇ．７２６、ＥＶＲＣ等がある。
【００４２】
（Ａ−２）第１の実施形態の動作
次に、第１の実施形態のＳＩＰ信号変換処理の動作を図面を参照しながら説明する。
【００４３】
図５は、第１の実施形態のＳＩＰ信号変換装置４におけるＳＩＰ信号変換処理を示すシーケンス図である。
【００４４】
図５では、ＳＩＰ信号変換装置４が、ＩＰネットワーク３Ａ上の端末とＩＰネットワーク３Ｂ上の端末との間の接続制御を行う場合を例示する。
【００４５】
まず、発側ＩＰネットワーク３Ａ上の端末（図示しない）は、ＩＰネットワーク３Ｂ上の端末との間の接続要求を行うために制御信号パケット５ＡであるＩＮＶＩＴＥを送信する（ステップ１００００）。
【００４６】
このＩＮＶＩＴＥのボディにはＳＤＰを用いた情報が記述されており、ＩＰネットワーク３Ａの端末の利用可能なメディア形式に関する情報である要求符号化形式リスト９０がＩＮＶＩＴＥのＳＤＰ情報に含まれている。
【００４７】
ここで、図６は、要求符号化形式リスト９０を説明する説明図である。図６に示すように、要求符号化形式リスト９０は、符号化形式９１と符号化形式毎変換補足情報９２とを少なくとも有する。
【００４８】
符号化形式９１は、発側ＩＰネットワークで利用可能な符号化形式を示す。発側ＩＰネットワークで利用可能であれば、１又は複数の符号化形式を格納することができる。図６に示す例の場合、例えば、発側ＩＰネットワークでは、ＰＣＭＵ、Ｇ．７２２が利用可能な符号化形式であることを示す。
【００４９】
符号化形式毎変換補足情報９２は、各符号化形式の補足情報を示す。図９において、例えば、符号化形式がＰＣＭＵの場合、発側ＩＰネットワークでの詳細な設定情報として、分割時間が２０ｍｓｅｃであり、インバンドＤＴＭＦがあることを示す。
【００５０】
発側ＩＰネットワーク３ＡからＩＮＶＩＴＥが与えられると、ＳＩＰ信号変換装置４では、ＩＮＶＩＴＥのＳＤＰ情報である要求符号化形式リスト９０を保存する（ステップ１００１０）。
【００５１】
ＳＩＰ信号変換装置４では、要求符号化形式リスト９０とメディア変換部サポート符号化形式リスト１０００とを比較し、要求符号化形式リスト９０にある全ての符号化形式が、メディア変換部サポート符号化形式リスト１０００に存在しているか否かを判断する（ステップ１００１１）。
【００５２】
そして、要求符号化形式リスト９０にある符号化形式の一部又は全てがメディア変換部サポート符号化形式と不一致の場合、ステップ１００１６に移行し、当該ＩＮＶＩＴＥをＩＰネットワーク３Ｂに転送する。
【００５３】
一方、要求符号化形式リスト９０にある全ての符号化形式がメディア変換部サポート符号化形式に存在している場合、ＳＩＰ信号変換装置４は、ＩＮＶＩＴＥから宛先ネットワーク情報を抽出し（ステップ１００１２）、この宛先ＩＰネットワーク情報を用いて符号化形式情報１００から当該宛先ＩＰネットワーク３Ｂのサポート符号化形式１０２及び符号化形式毎変換補足情報１０３を検索する（ステップ１００１３）。
【００５４】
このとき、宛先ＩＰネットワーク３Ｂのサポート符号化形式が、メディア変換部サポート符号化形式リスト１０００に存在するものであるかを判断するようにしてもよい。
【００５５】
次に、宛先ＩＰネットワーク３Ｂのサポート符号化形式１０２と要求符号化形式リスト９０とを比較し、宛先ＩＰネットワーク３Ｂのサポート符号化形式１０２のうち、要求符号化形式リスト９０に存在していないものがあるか否かを判断する（ステップ１００１４）。
【００５６】
そして、宛先ＩＰネットワーク３Ｂのサポート符号化形式１０２が全て要求符号化形式リスト９０に存在する場合、両者のＩＰネットワーク３Ａ及び３Ｂで利用できるメディア形式は同じであるのでＳＤＰ情報の変換を行わず、ステップ１００１６に移行してＩＮＶＩＴＥの転送を行う。
【００５７】
一方、宛先ＩＰネットワーク３Ｂのサポート符号化形式１０２のうち、要求符号化形式リスト９０に存在しないものがある場合、その要求符号化形式リスト９０に存在していない宛先ＩＰネットワーク３Ｂのサポート符号化形式及び符号化形式毎変換補足情報を、要求符号化形式リスト９０に追加し、ＩＮＶＩＴＥのＳＤＰ情報を更新する（ステップ１００１５）。
【００５８】
このとき、要求符号化形式リスト９０において不足している変換補足情報は、符号化形式情報１００の符号化形式毎変換補足情報１０３から補充する。
【００５９】
ステップ１００１６では、ＩＮＶＩＴＥパケットを宛先ＩＰネットワーク３Ｂに向けて転送する（ステップ１００１６）。
【００６０】
ステップ１００１１〜１００１５の処理について図面を用いて具体的に説明する。
【００６１】
例えば、図６に示す要求符号化形式リスト９０がＳＩＰ信号変換装置４に保存されている。つまり、発側ＩＰネットワーク３Ａ上で利用できる符号化形式は、ＰＣＭＵ、Ｇ．７２２である。
【００６２】
この要求符号化形式リスト９０とメディア変換部サポート符号化形式リスト１０００とを比較すると、ＰＣＭＵ、Ｇ．７２２はいずれも、メディア変換部サポート符号化形式リスト１０００に存在する。これにより、メディア変換部１４によるメディア変換が可能な符号化形式であることを確認できる。
【００６３】
次に、ＩＮＶＩＴＥから宛先ＩＰネットワーク情報として「ＩＰネットワーク３Ｂ」を示す識別情報を抽出し、符号化形式情報１００から、ＩＰネットワーク３Ｂのサポート符号化形式１０２及び符号化形式毎変換補足情報１０３を検索する。
【００６４】
つまり、ＩＰネットワーク３Ｂのサポート符号化形式が、ＰＣＭＵ、ＥＶＲＣであることを認識する。
【００６５】
宛先ＩＰネットワーク３Ｂのサポート符号化形式（ＰＣＭＵ、ＥＶＲＣ）と、要求符号化形式リスト９０の符号化形式（ＰＣＭＵ、Ｇ．７２２）とを比較すると、ＥＶＲＣが要求符号化形式リスト９０に存在していない。
【００６６】
そのため、ＥＶＲＣ及びこのＥＶＲＣの符号化形式変換補足情報１０３を、要求符号化形式リスト９０に追加して、ＩＮＶＩＴＥのＳＤＰ情報の変換処理を行う。その後、ＳＩＰ信号変換処理を施したＩＮＶＩＴＥをＩＰネットワーク３Ｂに向けて送信する。
【００６７】
続いて、ステップ１００２０において、ＩＰネットワーク３Ｂ上の端末がＩＮＶＩＴＥに対する応答制御信号である２００  ＯＫパケットを送信する（ステップ１００２０）。
【００６８】
この２００  ＯＫパケットのボディにはＳＤＰを用いた情報が記述されており、ＩＰネットワーク３Ｂの端末の利用可能なメディア形式に関する情報である応答符号化形式９０が２００  ＯＫのＳＤＰ情報に含まれている。
【００６９】
ここで、図７は、応答符号化形式リスト９５を説明する説明図である。図７に示すように、応答符号化形式リスト９５は、符号化形式９６と符号化形式毎変換補足情報９７とを少なくとも有する。符号化形式９６及び符号化形式毎変換補足情報９７は、着側のＩＰネットワーク上の端末が利用可能な符号化形式及びその補足情報である。
【００７０】
ＳＩＰ信号変換装置４では、受信した２００  ＯＫパケットに含まれる応答符号化形式リスト９５を抽出して、この応答符号化形式リスト９５と保存している要求符号化形式リスト９０とを比較する。そして、応答符号化形式リスト９５にある符号化形式９６と、要求符号化形式リスト９０にある符号化形式９１とが一致するか否かを判断する（ステップ１００１７）。
【００７１】
このとき、応答符号化形式リスト９５の全て符号化形式９６が、要求符号形式リスト９０の符号化形式９１に一致する必要はなく、例えば、複数の符号化形式９６のうちいずれかが一致していればよい。すなわち、いずれか１個の符号化形式が一致していれば、共通のメディア形式があることを意味するので、メディア通信が可能となるからである。
【００７２】
そして、応答符号化形式リスト９５の符号化形式９６が要求符号化形式リスト９０の符号化形式９１に一致する場合、応答符号形式リスト９５の情報を更新することなく、ステップ１００１９に移行して、２００  ＯＫパケットをＩＰネットワーク３Ａに転送する。
【００７３】
一方、応答符号化形式リスト９５の符号化形式９６が要求符号化形式リスト９０の符号化形式９１と一致しない場合、応答符号化形式リスト９５の内容を更新する。
【００７４】
この応答符号化形式リスト９５の更新の仕方は、要求符号化形式リスト９０にある符号化形式のうち最優先の符号化形式（例えば、図６において先頭の符号化形式）を、応答符号化形式リスト９５に追加する変換を行う。
【００７５】
ここで、図６では図示しないが、要求符号化形式リスト９０に「選択優先度」という項目を付与し、ＩＰネットワーク３Ａ側で決定した優先度を設けるようにしてもよい。
【００７６】
そして、ステップ１００１９では、２００  ＯＫパケットをＩＰネットワーク３Ａに向けて転送する（ステップ１００１９）。
【００７７】
図５のようにして、ＩＰネットワーク３Ａ上の端末とＩＰネットワーク３Ｂ上の端末で利用可能なメディア形式が異なる場合でも、ＳＩＰ信号変換装置４を備えることにより、両端末間のメディアネゴシエーションを実現することができる。
【００７８】
また、メディアネゴシエーションの際に、メディア変換に係る補足情報を付与又は補完することにより、最適なメディア変換を提供することができる。
【００７９】
（Ａ−３）第１の実施形態の効果
以上のように、第１の実施形態によれば、双方の端末が利用可能なメディア形式が異なる場合でも、メディア変換装置がサポートする符号化形式であれば、端末間の相互接続を実施するためのメディアネゴシエーションが可能となる。
【００８０】
（Ｂ）他の実施形態
第１の実施形態では、ＳＩＰ信号変換装置がＳＤＰを用いて記述されたメディア形式情報を変換する場合を例示したが、ＳＤＰに限定される必要はなく、ＳＤＰ以外のプロトコルで記述されたメディア形式情報にも広く適用することができる。
【００８１】
第１の実施形態では、ＳＩＰ信号変換装置が、メディア変換部と制御部（制御信号変換制御部）とを備える物理的に同一の装置である場合を説明したが、メディア変換部と制御部（制御信号変換制御部）とが分散的に配置されたコンピュータの実行により機能されるようにしてもよい。
【００８２】
第１の実施形態では、ＳＩＰ信号変換装置が１対１の端末間の接続制御を行う場合を説明した。しかし、テレビ会議システム、１対多通信システム等のようなシステムにおいても、本発明のＳＩＰ信号制御装置を適用することができる。
【００８３】
この場合、ＳＩＰ信号変換装置が、全てのユーザ端末に利用できる符号化形式情報を予め保持する。そして、発側端末からのＩＮＶＩＴＥに含まれるメディア形式情報（ＳＤＰ情報）に基づいて、発側端末で利用できる符号化形式と、複数の着側端末のそれぞれの符号化形式とを個別に比較して、第１の実施形態で説明した処理を行うようにすることで実現できる。
【００８４】
また、別の方法として、ＳＩＰ信号変換装置が、発側からのＩＮＶＩＴＥの宛先ネットワーク情報と符号化形式情報１００とから、複数の着側端末の符号化形式を割り出し、これら複数の着側端末で共通する符号化形式の有無を判断する。そして、共通する符号化形式がある場合、この共通する符号化形式を複数の着側端末で利用可能な符号化形式であることを決めておく。これ以降の処理は、第１の実施形態で説明した処理を適用することで実現することができる。
【００８５】
本発明のＳＩＰ信号変換装置は、メディアネゴシエーションにおける符号化形式情報の補完を行う手段を有し、宛先ＩＰネットワークにてサポートされている符号化形式を要求符号化形式に追加した上で転送することにより、端末間のサポートメディアタイプが異なる場合でも相互接続を観点としたメディアネゴシエーションを可能となる。
【００８６】
また、本発明のＳＩＰ信号変換装置は、ＩＰネットワーク毎かつ符号化形式毎に符号化形式毎変換補足情報を保持し、要求符号化形式を追加する場合に入力された要求符号化形式リストから類推適用できない変換補足情報を補填する手段を有し、宛先ＩＰネットワークにてサポートされている符号化形式変換補足情報を採用することにより、端末間の最適なメディア変換を行うことを可能となる。
【図面の簡単な説明】
【００８７】
【図１】第１の実施形態のネットワークの全体構成を示す全体構成図である。
【図２】第１の実施形態のＳＩＰ信号変換装置の機能構成を示すブロック図である。
【図３】第１の実施形態の符号化形式情報の構成を説明する説明図である。
【図４】第１の実施形態のメディア変換部サポート符号化形式リストの構成を説明する説明図である。
【図５】第１の実施形態のＳＩＰ信号変換処理を動作を示すシーケンス図である。
【図６】第１の実施形態の要求符号化形式リストの構成を説明する説明図である。
【図７】第１の実施形態の応答符号化形式リストの構成を説明する説明図である。
【符号の説明】
【００８８】
１Ａ及び１Ｂ…ＩＰ電話端末、２Ａ及び２Ｂ…ＰＣ、３Ａ及び３Ｂ…ＩＰネットワーク、４…ＳＩＰ信号変換装置、１１…パケットスイッチ部、１２…制御部、１３Ａ及び１３Ｂ…パケット入出力部、１４…メディア変換部。
【図１】
2010124063.tif 000003
【図２】
2010124063.tif 000004
【図３】
2010124063.tif 000005
【図４】
2010124063.tif 000006
【図５】
2010124063.tif 000007
【図６】
2010124063.tif 000008
【図７】
2010124063.tif 000009